(57)【要約】      （修正有）【課題】複数種の食器を簡単にかつくまなく洗浄可能な洗浄具を提供する。【解決手段】連続気泡の発泡樹脂からなる細長い洗浄具本体１１と、洗浄具本体１１の長手方向に挿通する所定硬度の軟質樹脂からなる細長い芯体１２と、洗浄具本体１１を覆う合成樹脂製のメッシュ袋１３からなる。芯体１２は、折り曲げ可能であり、復元弾性を有する。【選択図】図２
0003158515.tif 000002
【実用新案登録請求の範囲】
【請求項１】
連続気泡の発泡樹脂からなる細長い洗浄具本体１１と、
前記洗浄具本体の長手方向に挿通する軟質樹脂からなる細長い芯体１２と、を備え、
前記芯体１２は、折り曲げ可能でありかつ復元弾性を有する洗浄具。
【請求項２】
前記芯体１２は、軟質樹脂製のパイプである請求項１に記載の洗浄具。
【請求項３】
前記芯体１２の軟質樹脂は、JIS K 6253に規定するデュロメータタイプＡによる硬度が、７０〜９８である請求項１または２に記載の洗浄具。
【請求項４】
前記洗浄具本体１１を覆う合成樹脂製のメッシュ袋１３をさらに備え、このメッシュ袋は長手方向の半部にアルミニウム蒸着部１３ａを有する請求項１から３のいずれかに記載の洗浄具。
【考案の詳細な説明】
【技術分野】
【０００１】
この考案は、食器の洗浄に用いられる洗浄具に関する。
【背景技術】
【０００２】
ブロック型の連続気泡の合成樹脂発泡体からなる洗浄具、いわゆる洗浄スポンジが、食器洗浄に汎用されている。
このような洗浄スポンジは握りやすく取り扱いが容易である一方で、コップのように開口が小さく底の深い食器（以下、コップ等と略す。）の内面を擦り洗いする場合は、その底部まで届きにくい洗い残しが生じる問題がある。
【０００３】
そこで、コップ等を擦り洗いする際には、その内面底部まで届くように柄付きのブラシを用いることが多い。
しかし、皿などのように、開口が大きく底の浅い通常の食器には洗浄スポンジを用い、コップ等には柄付きブラシを用いるとなると、洗浄作業時に複数の洗浄具を使い分ける必要があり面倒である。
【０００４】
ところで洗浄スポンジを、コップ等の内面底部に届くように細長いスティック型にすることも考えられる。しかし洗浄スポンジ自体には保形性がほとんどないため、コップ等の底部に押し付けると簡単に折れ曲がってしまい、底部を十分に擦り洗いすることができない。
【０００５】
このため特許文献１のように、スティック型の洗浄スポンジの中心に、針金などの芯材を通して保形性を与えたものも考案されている。
この洗浄スポンジの用い方としては、皿などの通常の食器を洗う際には、芯材を折り曲げて洗浄スポンジ全体を二つ折り（Ｖ字型）にし、食器を挟み込むようにして外面と内面を同時にこすり洗いする。
その一方で、コップ等を洗う際には、その内面底部まで届くように芯材を曲げ戻して、洗浄スポンジ全体をスティック型に復元させる必要がある。
【０００６】
実際には、複数種の食器を無作為に選択して順次洗浄作業をおこなってゆくことが多いため、この種の洗浄スポンジの場合、その芯材を繰り返し折り曲げまた曲げ戻して変形させなければならず、非常に手間がかかる。
【先行技術文献】
【特許文献】
【０００７】
【特許文献１】特開２００９−２２７００号公報
【考案の概要】
【考案が解決しようとする課題】
【０００８】
そこで、この考案の解決すべき課題は、複数種の食器を簡単にかつくまなく洗浄可能な洗浄具を提供することである。
【課題を解決するための手段】
【０００９】
上記した課題を解決するため、考案にかかる洗浄具を、連続気泡の発泡樹脂からなる細長い洗浄具本体と、前記洗浄具本体の長手方向に挿通する軟質樹脂からなる細長い芯体と、を備えるスティック型のものとしたのである。そして前記芯体を、折り曲げ可能でありかつ復元弾性を有するものとしたのである。
【００１０】
この洗浄具で、コップ等の内面を洗う際には、スティック型の状態で洗浄具の一端部をにぎり、食器の開口から内部へと差し入れ、柄付きブラシと同様に長手方向に沿って往復動させる。
洗浄具は、芯体により保形性が付与されているため、その端面がコップ等の内面の底に押し当てられても容易には折れ曲がらず、底部までくまなく擦り洗いすることができる。
【００１１】
また、皿等の通常の食器を洗う際には、芯体を折り曲げて洗浄具全体を二つ折りにした状態で握り、食器を挟み込んで擦り付け、内外面を同時に洗浄する。
次いで、ふたたびコップ等を洗う場合には、洗浄具から手を離すと芯体の復元弾性により自動的に洗浄具はスティック型に戻る。この状態で洗浄具の一端部をにぎり直して上記作業をおこなう。
【００１２】
このように、洗浄具を二つ折りにした状態から手を離すと自動的にスティック型に復帰するため、従来のように芯体を曲げ戻す必要がなくなる。したがって、手を持ちかえるだけで皿などの通常の食器も、コップなどの開口が小さく底の深い特殊な食器も、ひとつの洗浄具で簡単に洗浄することができる。
【００１３】
洗浄具の前記芯体は、軟質樹脂製のパイプであり、その軟質樹脂は、JIS K 6253に準拠するデュロメータタイプＡによる硬度が、７０〜９８であるのが好ましい。
【００１４】
洗浄具は、前記洗浄具本体を覆う合成樹脂製のメッシュ袋をさらに備え、このメッシュ袋は、長手方向の半部にアルミ蒸着部を有するのがさらに好ましい。
【考案の効果】
【００１５】
複数種の食器を一つの洗浄具で簡単にかつくまなく洗浄可能となった。
【図面の簡単な説明】
【００１６】
【図１】洗浄具の全体斜視図
【図２】洗浄具の一部破断斜視図
【図３】洗浄具の使用状態を示す図
【図４】洗浄具の使用状態を示す図
【考案を実施するための形態】
【００１７】
以下、図面を参照しつつこの考案の実施形態について説明する。
図１および２に示す実施形態のスティック型の洗浄具１０は、食器の擦り洗いに用いられるものであり、洗浄具本体１１と、芯体１２と、メッシュ袋１３とから構成される。
【００１８】
洗浄具本体１１は、連続気泡の発泡樹脂から形成されており、細長い円柱形の外観を呈している。発泡樹脂の材質は特に限定されないが、ポリウレタン、ポリエチレン、ポリビニルアルコールが例示される。またその発泡度も特に限定されない。
この洗浄具本体１１の中央部には、長手方向に延びる円柱形の孔が形成されている。
【００１９】
芯体１２は、軟質樹脂の円筒パイプから形成されており、洗浄具本体１１の前記孔へと差し込まれている。
軟質樹脂の材質は特に限定されないが、ポリウレタン、エチレン酢酸ビニル共重合体、熱可塑性エラストマーが例示される。
【００２０】
芯体１２の弾性は、手で折り曲げ可能であり、かつ手を離すと速やかに復元可能なものに調整されている。
また、芯体１２をなす軟質樹脂の硬度は特に限定されないが、JIS K 6253に準拠するデュロメータタイプＡによる硬度が、７０〜９８であるのが好ましく、７５〜８５であるのが特に好ましい。芯体１２が硬すぎると手で折り曲げにくく、柔らかすぎると食器に当てるだけで簡単に折れ曲がって洗浄作業をおこないにくいからである。
【００２１】
メッシュ袋１３は、合成樹脂繊維の織物から形成された多孔性の袋体であり、端面が閉塞された円筒形をなして洗浄具本体１１の全体を包み込んでいる。合成樹脂の材質は特に限定されないが、ポリエステル、ナイロンが例示される。繊維の繊度も特に限定されないが、マイクロファイバー（超極細繊維）が例示される。
【００２２】
このメッシュ袋１３は、長手方向に２分割され、図中の右半部の外面にはアルミニウムが蒸着されてアルミニウム蒸着部１３ａとなり、左半部は合成樹脂繊維がそのまま露出して通常部となっている。
また、通常部とアルミニウム蒸着部１３ａとの境界部には、リング形の掛け紐１３ｂが設けられ、洗浄具全体をフック等に吊り下げて、水きりをできるようになっている。
【００２３】
実施形態の洗浄具１０の構成は以上のようであり、つぎに図３および図４を参照してその用い方について説明する。
まず図３のように、この洗浄具１０で皿Ｄを洗う場合には、洗浄具１０を二つ折り（Ｖ字型）に折り曲げて握り、皿Ｄの縁を挟み込むようにして擦り洗いする。これにより、皿Ｄの内面と外面が同時にきれいになる。
【００２４】
つぎにこの洗浄具１０でコップＣを洗う場合には、図３のように二つ折りされた洗浄具１０から手を離し、その芯体１２の復元弾性でもって元のスティック型に復元させる。
さらに図４のように、スティック型になった洗浄具１０の一端部をにぎり直して、コップＣの開口から内部へと差し込んで往復動させて擦り洗いする。洗浄具１０は細長いため、コップＣの内面の底部にまで届き、くまなく洗浄することが可能である。
【００２５】
ここで、洗浄具１０の外面はメッシュ袋で構成され、その右半部が洗浄力の強いアルミ蒸着部、左半部が洗浄力の弱い通常部となっているため、コップＣを洗う場合には、その汚れ具合や汚れの種類に応じて、左半部を握ってアルミ蒸着部１３ａで擦り洗いするのと、右半部を握って通常部で擦り洗いするのを使い分けることが可能である。
また、皿Ｄを洗う場合には、内外面のうち、汚れのひどいほうの面にアルミ蒸着部１３ａを当て、汚れのましなほうの面に通常部を当てて挟み込んで擦ると、洗浄作業の効率がよく皿Ｄを傷付けることもない。
【００２６】
このようにして、手を持ちかえる（握りなおす）だけで、皿などの通常の食器も、コップなどの開口が小さく底の深い特殊な食器も、ひとつの洗浄具で簡単に洗浄することができる。また、コップ等を洗う際にも内面底まで届いてくまなく洗浄することができる。
【００２７】
ここで、芯体１２を軟質樹脂製のパイプに代えて、軟質樹脂製の棒としてもよい。
洗浄具本体１１は、細長いスティック型の形状であればよく、円柱形に代えて角筒形、楕円柱形、半円柱形などとしてもよい。
また、メッシュ袋１３を省略して、芯体１２と洗浄具本体１１のみから洗浄具１０を構成してもよい。
【符号の説明】
【００２８】
１０  洗浄具
１１  洗浄具本体
１２  芯体
１３  メッシュ袋
１３ａ  アルミニウム蒸着部
１３ｂ  掛け紐
Ｄ  皿
Ｃ  コップ
【図１】
0003158515.tif 000003
【図２】
0003158515.tif 000004
【図３】
0003158515.tif 000005
【図４】
0003158515.tif 000006